(57)【特許請求の範囲】
【請求項１】
袋部を形成する袋上片身と袋下片身とが三周辺において封着され、一辺が開口部とされた薬袋であって、
前記袋下片身は不透明の紙からなり、
前記袋上片身は、透明の合成樹脂フィルム表面に患者に関する情報を印字するためのインク受容層が形成されてなり、該袋上片身の前記開口部と対向する前記封着部の前記開口部側近傍には空気抜き孔が穿設されていることを特徴とする薬袋。
【発明の詳細な説明】
【０００１】
【発明の属する技術分野】
本発明は医療機関、薬局などにおいて、患者に渡す薬を封入するための薬袋に関するものである。
【０００２】
【従来の技術】
従来、薬袋には、その一方の袋片身に氏名、日付、服用方法などを記載し、該当する薬を収納していた。そして、患者への薬の支給時に効能、服用方法、注意事項などを説明する際、薬袋よりいちいち薬を取り出して説明を行っていた。
【０００３】
【発明が解決しようとする課題】
このように、従来の薬袋では、患者への説明時には薬袋から薬の取り出しと収納に手間がかかるばかりか、薬袋が多種にわたる場合には薬袋への再収納時に誤収納が生じる恐れもあるという不都合がある。そこで、本発明は、収納されている薬を取り出すことなく、これらを確認しながら患者へ説明することができ、さらに、薬袋へのプリント時、空気の逃げ場が失われ、薬袋が膨れプリント不良が発生するという不都合が生じない薬袋の提供を目的とする。
【０００４】
【課題を解決するための手段】
かかる問題点に鑑み、本発明者らは、薬袋の少なくとも一方の袋片身を透明または半透明な部材で構成し、その表面側をプリント面とした。そして、さらに該プリント面へのプリント時、ニップローラなどにより袋を構成する上下の袋片身同士の一部が密着し、開口部から空気が逃げられない状態となっても、少なくとも一方の袋片身に空気抜き孔を設けることで、薬袋が膨れプリント不良が発生することなく上記目的を達成できることを見出し、本発明を想到した。
【０００５】
すなわち、本発明の薬袋は、袋部を形成する袋上片身と袋下片身とが三周辺において封着され、一辺が開口部とされた薬袋であって、前記袋下片身は不透明の紙からなり、前記袋上片身は、透明の合成樹脂フィルム表面に患者に関する情報を印字するためのインク受容層が形成されてなり、該袋上片身の前記開口部と対向する前記封着部の前記開口部側近傍には空気抜き孔が穿設されていることを特徴とする。
【０００６】
本発明はこのような構成を採用したことにより、薬袋から収納されている薬を取り出すことなく、透明ないし半透明の袋片身を透してこれを確認でき、そのプリント面に印字された患者情報に基づき、収納状態の薬と対比して説明を行えるので、説明が大変行い易く、特に、収納された薬の種類が複数の場合においては説明の効率がよい。さらに、少なくとも一方の袋片身に空気抜き孔を施したことにより、薬袋へのプリントの際、プリンタの印刷機構によっては、ニップローラなどにより袋を構成する上下の袋片身同士の一部が密着し、開口部から空気が逃げられない状態となるが、このような状態となっても、開口部からではなく、空気抜き孔から空気が押し出されるように排出されるため、薬袋が膨れプリント不良が発生するという不都合は生じない。
【０００７】
【発明の実施形態】
次に、本発明の実施形態を図面に基づき説明する。なおここにおいて、図１は本発明の第一の実施例である薬袋の表面斜視図、図２は図１のＸ−Ｘ線断面図、図３は図１の薬袋の使用状態説明図、図４は本発明の第二の実施例である薬袋の表面斜視図、図５は図４の薬袋の裏面斜視図、図６は図４のＸ−Ｘ線断面図、図７は図４の薬袋の使用状態説明図である。
【０００８】
第一の実施例における薬袋１は、図１および図２に示す如く、袋上片身２と袋下片身３とが重ね合わされ、三周辺を接着剤４により封着して一辺を開口部６としてなり、さらに、袋上片身２の開口部６が設けられた反対側の端縁部には複数の空気抜き孔７が穿設されている。なお、本実施例では空気抜き孔は複数穿設されているが、本発明はこれに限定されず、所望の効果が得られれば１つだけでも構わない。また、空気抜き孔の穿設場所は袋上片身に限定されず、袋下片身あるいは両方の袋片身であっても構わない。
【０００９】
本実施例では袋上片身２は透明なポリエチレンテレフタレート、袋下片身３は上質紙で構成されているが、本発明における袋片身の素材はこれに限定されず、好ましい袋片身の素材としては、例えば、ポリエステル、ポリエチレン、ポリプロピレン、セロハン、酢酸セルロース、ポリ塩化ビニルなどの合成樹脂フィルムや、アート紙、コート紙、合成紙、各種含浸紙、合成樹脂添加紙などの用紙類などが挙げられる。そして、少なくともどちらか一方の袋片身を半透明又は透明なものとする必要があり、これは上記の合成樹脂フィルムにおいて透明性を有する素材やトレーシングペーパーのような半透明の素材を用いるのが好ましい。
【００１０】
袋上片身２の表面側はプリント面Ｐとされており、その全面にインク受容層５が形成されている。本実施例のインク受容層５はポリビニルアルコール類のバインダと合成シリカなどの顔料からなる塗膜により形成されている。なお、本発明におけるプリント面は、本実施例のようにインク受容層を設け、そのインク受容層に印字するものであっても、後述する第二の実施例のように袋片身自体に直接印字するものであっても構わない。
【００１１】
次に、本実施例の薬袋１の使用例について、図３に基づいて説明する。
上述の如く構成された薬袋１は、医療機関、薬局などにおいて、医師の処方箋に基づいて各種の薬が収納され、薬袋１の袋上片身２のプリント面Ｐに形成されたインク受容層５上には、インクジェットプリンタをもって、患者名、薬名、日付、服用方法などの患者に関する情報が印字され、収納した薬との再確認を透明な樹脂フィルムからなる袋上片身２を透して行う。
【００１２】
次に、第二の実施例を示し、本発明をさらに詳述する。本実施例における薬袋１１は、図４ないし図６に示す如く、半透明な合成樹脂の含浸紙を二つ折りしてなる袋上片身２と袋下片身３とを重ね合わせ、折り辺以外の三周辺が接着剤４により封着され、袋下片身３における折り辺を含めた三周辺の縁部に沿って複数の空気抜き孔７が穿設されている。そして、袋上片身２の表面側はプリント面Ｐとされると共に、袋下片身３の所定部にはスリット加工により形成された開口部６が設けられている。なお、本実施例のように、袋片身が収納された薬を確認できる程度に半透明なものは、袋片身が透明なものよりも若干、薬を確認し難くなるが、印字された患者に関する情報が見易くなるという長所がある。
【００１３】
次に、本実施例の薬袋１１の使用例について、図７に基づいて説明する。
上述の図４ないし図６に示すように構成された薬袋１１は、医療機関、薬局などにおいて、医師の処方箋による印字内容に基づいて各種の薬が収納されると共に、薬袋１の袋上片身２のプリント面Ｐ上に、感熱リボンプリンタをもって、患者名、薬名、日付、服用方法などの患者に関する情報が印字され、収納した薬との再確認を半透明な袋上片身２ないし袋下片身３を透して行う。
【００１４】
なお、本発明においては、プリント面Ｐには印刷により予めプリント欄を設けたり、あるいは袋下片身の外面あるいは内面に、例えば、一般的な注意事項、問い合わせ先情報などを印刷により設けてもよい。さらに、袋上片身と袋下片身とを共に透明に構成してもよいが、プリント面に印字した情報を読み取り易くするためには一方の袋片身を透明とし、他方の袋片身を不透明とするのが好ましい。また、一方の袋片身のプリント面に印字された情報を読み取るのに、その印字色を鑑み、最も読み取り易い色に着色してもよい。
【００１５】
【発明の効果】
上述のように、本発明の薬袋は、開口部が施された薬袋であって、該薬袋の袋部を形成する少なくとも一方の袋片身が透明又は半透明であると共に、その表面側がプリント面とされてなり、さらに、少なくとも一方の袋片身に空気抜き孔を穿設してなる構成を採用したことにより、薬袋から収納されている薬を取り出すことなく、一方の袋片身を透してこれを確認でき、そのプリント面に印字された患者情報に基づき、収納状態の薬と対比して説明を行えるので、説明が大変行い易く、特に、収納された薬の種類が複数の場合においては説明の効率がよい。さらに、少なくとも一方の袋片身に空気抜き孔を施したことにより、薬袋へのプリント時、空気の逃げ場が失われ、薬袋が膨れプリント不良が発生するという不都合は生じない、などといった効果を奏する。
【図面の簡単な説明】
【図１】本発明の第一の実施例である薬袋の表面斜視図。
【図２】図１のＸ−Ｘ線断面図。
【図３】図１の薬袋の使用状態説明図。
【図４】本発明の第二の実施例である薬袋の表面斜視図。
【図５】図４の薬袋の裏面斜視図。
【図６】図４のＸ−Ｘ線断面図。
【図７】図４の薬袋の使用状態説明図。
【符号の説明】
１、１１  薬袋
２  袋上片身
３  袋下片身
４  接着剤
５  インク受容層
６  開口部
７  空気抜き孔
Ｐ  プリント面
【図１】
0004097827.tif 000002
【図２】
0004097827.tif 000003
【図３】
0004097827.tif 000004
【図４】
0004097827.tif 000005
【図５】
0004097827.tif 000006
【図６】
0004097827.tif 000007
【図７】
0004097827.tif 000008